(57)【特許請求の範囲】
【請求項１】
キャリアアグリゲーションをサポートする無線通信システムにおいて、基地局と通信するユーザ装置であって、
前記基地局から、プライマリセルにおけるセル一時識別子と、セカンダリセルにおけるセル一時識別子とを取得する取得部と、
前記プライマリセルにおけるセル一時識別子と、前記セカンダリセルにおけるセル一時識別子とを用いて、前記基地局とキャリアアグリゲーションによる通信を行う通信部と、
を有し、
前記通信部は、前記セカンダリセルにおけるセル一時識別子が変更される場合、セル一時識別子が変更されるセカンダリセルを介したダウンリンク及びアップリンクの通信を停止するユーザ装置。
【請求項２】
前記通信部は、プライマリセル又はセカンダリセルを介して前記基地局との間でランダムアクセス手順を行い、前記プライマリセルにおけるセル一時識別子又は前記セカンダリセルにおけるセル一時識別子を含むメッセージ３を前記基地局に送信する、請求項１に記載のユーザ装置。
【請求項３】
前記通信部は、ランダムアクセスプリアンブルをプライマリセルを介して送信した場合、又はランダムアクセスレスポンス信号をプライマリセルから受信した場合、又はメッセージ３をプライマリセルを介して送信することが予め規定されている場合、又はメッセージ３に前記プライマリセルにおけるセル一時識別子を含めることが前記基地局から指定されている場合に、前記プライマリセルにおけるセル一時識別子を含むメッセージ３を前記基地局に送信し、
ランダムアクセスプリアンブルをセカンダリセルを介して送信した場合、又はランダムアクセスレスポンス信号をセカンダリセルから受信した場合、又はメッセージ３をセカンダリセルを介して送信することが予め規定されている場合、又はメッセージ３に前記セカンダリセルにおけるセル一時識別子を含めることが前記基地局から指定されている場合に、前記セカンダリセルにおけるセル一時識別子を含むメッセージ３を前記基地局に送信する、請求項２に記載のユーザ装置。
【請求項４】
前記通信部は、セル一時識別子が変更されたセカンダリセルを非アクティブ化することで、ダウンリンク及びアップリンクの通信を停止する、請求項１に記載のユーザ装置。
【請求項５】
前記通信部は、セル一時識別子が変更されたセカンダリセルにおけるＨＡＲＱバッファ内のデータを削除し、ダウンリンク及びアップリンクの少なくとも一方の通信に割当てられている無線リソース情報を削除する、請求項１又は４に記載のユーザ装置。
【請求項６】
前記通信部は、前記プライマリセルにおけるセル一時識別子が変更された場合であって、かつ、変更された前記プライマリセルにおけるセル一時識別子が、前記セカンダリセルにおけるセル一時識別子と同一である場合、前記基地局との間で再接続処理を行う、請求項１乃至５のいずれか一項に記載のユーザ装置。
【請求項７】
前記取得部においてセカンダリセルにおけるセル一時識別子が取得されない場合、前記通信部は、前記プライマリセルにおけるセル一時識別子を用いて前記基地局とキャリアアグリゲーションによる通信を行う、請求項１乃至６のいずれか一項に記載のユーザ装置。
【請求項８】
キャリアアグリゲーションをサポートし、基地局とユーザ装置とを有する無線通信システムであって、
前記基地局は、
プライマリセルにおけるセル一時識別子と、セカンダリセルにおけるセル一時識別子とをユーザ装置に送信する送信部、
を有し、
前記ユーザ装置は、
前記基地局から、前記プライマリセルにおけるセル一時識別子と、前記セカンダリセルにおけるセル一時識別子とを取得する取得部と、
前記プライマリセルにおけるセル一時識別子と、前記セカンダリセルにおけるセル一時識別子とを用いて、前記基地局とキャリアアグリゲーションによる通信を行う通信部と、
を有し、
前記通信部は、前記セカンダリセルにおけるセル一時識別子が変更される場合、セル一時識別子が変更されるセカンダリセルを介したダウンリンク及びアップリンクの通信を停止する無線通信システム。
【請求項９】
キャリアアグリゲーションをサポートし、基地局とユーザ装置とを有する無線通信システムが行う通信方法であって、
前記基地局が、プライマリセルにおけるセル一時識別子と、セカンダリセルにおけるセル一時識別子とをユーザ装置に送信するステップと、
前記ユーザ装置が、前記基地局から、前記プライマリセルにおけるセル一時識別子と、前記セカンダリセルにおけるセル一時識別子とを取得するステップと、
前記ユーザ装置が、前記プライマリセルにおけるセル一時識別子と、前記セカンダリセルにおけるセル一時識別子とを用いて、前記基地局とキャリアアグリゲーションによる通信を行うステップと、
を有し、
前記通信を行うステップは、前記セカンダリセルにおけるセル一時識別子が変更される場合、セル一時識別子が変更されるセカンダリセルを介したダウンリンク及びアップリンクの通信を停止するステップを含む通信方法。
【発明の詳細な説明】
【技術分野】
【０００１】
本発明は、ユーザ装置、無線通信システム及び通信方法に関する。
【背景技術】
【０００２】
ＬＴＥ（Long Term Evolution）システムにおいて、基地局は、セルを介して各ユーザ装置と通信を行っている。また、基地局は、ユーザ装置ごとに異なる識別子（Ｃ−ＲＮＴＩ：Cell-Radio Network Temporary Identifier）を割当て、当該識別子を用いてユーザ装置と通信を行うことで、送受信されるデータがどのユーザ装置に対するデータであるのかを識別している（例えば、非特許文献１参照）。
【０００３】
また、基地局は、ユーザ装置ＵＥに割当てられたＣ−ＲＮＴＩを用いて、ダウンリンクデータ及びアップリンクデータの送受信に用いられる無線リソースの割当てを行っている。
【０００４】
例えば、ＰＤＣＣＨ（Physical Downlink Control Channel）には、各ユーザ装置向けのＤＣＩ（Downlink Control Information）が含まれているが、各ＤＣＩに含まれるＣＲＣ（Cyclic Redundancy Check）は、各ユーザ装置のＣ−ＲＮＴＩによりそれぞれマスキングされている。また、ユーザ装置は、各ＤＣＩに含まれるＣＲＣに対して自身に割当てられているＣ−ＲＮＴＩを用いて判定を行い、正しく判定された場合、当該ＤＣＩは自身向けのＤＣＩであると判断し、正しく判定出来ない場合、当該ＤＣＩは他のユーザ装置向けのＤＣＩであると判断している。
【０００５】
次に、ＬＴＥシステムでは、所定の帯域幅（最大２０ＭＨｚ）を基本単位として、複数のキャリアを同時に用いて通信を行うキャリアアグリゲーション（ＣＡ：Carrier Aggregation）が採用されている。キャリアアグリゲーションにおいて基本単位となるキャリアはコンポーネントキャリア（ＣＣ：Component Carrier）と呼ばれる。
【０００６】
ＣＡが行われる際には、ユーザ装置に対して、接続性を担保する信頼性の高いセルであるＰＣｅｌｌ（Primary Cell：プライマリセル）及び付随的なセルであるＳＣｅｌｌ（Secondary Cell：セカンダリセル）が設定される。ユーザ装置は、第１に、ＰＣｅｌｌに接続し、必要に応じて、ＳＣｅｌｌを追加することができる。
【０００７】
ＳＣｅｌｌは、ＰＣｅｌｌに追加されてユーザ装置に対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置に対して設定された直後は、非アクティブ状態（ｄｅａｃｔｉｖａｔｅ状態）であるため、アクティブ化することで初めて通信可能（スケジューリング可能）となるセルである。
【０００８】
３ＧＰＰ（3rd Generation Partnership Project）  Ｒｅｌ−１２までのＣＡでは、最大で５つのＣＣを束ねることで、広帯域化により高速なデータレートを実現している。
【先行技術文献】
【非特許文献】
【０００９】
【非特許文献１】３ＧＰＰ  ＴＳ３６．３００  Ｖ１２．５．０（２０１５−０３）
【発明の概要】
【発明が解決しようとする課題】
【００１０】
Ｃ−ＲＮＴＩは、セル内で一意になるように割当てられる識別子であるが、具体的な割当て方法は基地局の実装に依存する。
【００１１】
図１は、従来のＬＴＥにおけるＣ−ＲＮＴＩの割当て方法を説明するための図である。図１において、基地局は、セルＡ及びセルＢを構成している前提とする。また、セルＡにはユーザ装置＃Ｘが存在し、セルＢにはユーザ装置＃Ｙが存在している前提とする。図１（ａ）は、セル単位でＣ−ＲＮＴＩを割当てる方法を示している。すなわち、基地局は、各セル内でＣ−ＲＮＴＩが一意になるように、ユーザ装置にＣ−ＲＮＴＩを割当てる。一方、図１（ｂ）は、基地局単位でＣ−ＲＮＴＩを割当てる方法を示している。すなわち、基地局は、基地局内でＣ−ＲＮＴＩが一意になるように、ユーザ装置にＣ−ＲＮＴＩを割当てる。
【００１２】
図１（ａ）の場合、各セル内でＣ−ＲＮＴＩが一意であればよいため、基地局は、ユーザ装置＃Ｘ及びユーザ装置＃Ｙに対して、同一のＣ−ＲＮＴＩを割当てることが可能である。一方、図１（ｂ）の場合、基地局は、ユーザ装置＃Ｘ及びユーザ装置＃Ｙに対して、異なるＣ−ＲＮＴＩを割当てる必要がある。
【００１３】
今後、ＭＴＣ（Machine Type Communication）のようなサービスが広く実現されるようになると、多くのユーザ装置が基地局に同時に接続されることが想定される。基地局単位でＣ−ＲＮＴＩを割当てる方法では、１つの基地局に同時に接続可能なユーザ装置の数がＣ−ＲＮＴＩの数（約６万５０００程度）に限定されてしまうことになる。一方、セル単位でＣ−ＲＮＴＩを割当てる方法であれば、１つの基地局に同時に接続可能なユーザ装置の数は、Ｃ−ＲＮＴＩの数×セルの数に拡大することができる。従って、今後は、基地局単位でＣ−ＲＮＴＩを割当てる方法よりも、セル単位でＣ−ＲＮＴＩを割当てる方法が多く用いられるのではと想定される。
【００１４】
次に、３ＧＰＰ  Ｒｅｌ．１３のＬＴＥでは、より柔軟かつ高速な無線通信を実現するため、及び、連続する超広帯域のアンライセンスバンドで、多数のＣＣを束ねられるようにするために、ＣＡにおいて束ねられる最大５ＣＣの制限を取るＣＡ  ｅｎｈａｎｃｅｍｅｎｔが検討されている。例えば、最大で３２ＣＣを束ねるＣＡが検討されている。一例として、図２に、１６ＣＣを束ねる例を示す。
【００１５】
ここで、ＬＴＥでは、ユーザ装置に設定されるＰＣｅｌｌ及びＳＣｅｌｌに対して、同一のＣ−ＲＮＴＩを割当てることが規定されている。そうすると、ユーザ装置に多くのＳＣｅｌｌが設定される場合、ＰＣｅｌｌ側で用いられるＣ−ＲＮＴＩと同一のＣ−ＲＮＴＩをＳＣｅｌｌ側で確保することが困難になる可能性がある。
【００１６】
図１（ａ）を用いてより具体的に説明する。なお、図１（ａ）において、セルＡ及びセルＢのカバーエリアは重複していると仮定する。基地局は、セルＡ（ＰＣｅｌｌ）に在圏しているユーザ装置＃Ｘに対してセルＢ（ＳＣｅｌｌ）を追加しようとする。この場合、ユーザ装置＃Ｘは、セルＢでもＣ−ＲＮＴＩ＃１を使用する必要がある。しかしながら、セルＢにおいて、Ｃ−ＲＮＴＩ＃１はユーザ装置＃Ｙに割り当てられているため、ユーザ装置＃ＸはセルＢを追加することができない。
【００１７】
一方、このような状態を回避するために、基地局は、ユーザ装置にＩｎｔｒａ−ｃｅｌｌ  ＨＯ（handover）を実行させることで、ユーザ装置＃Ｘに割当てられているＣ−ＲＮＴＩを未使用のＣ−ＲＮＴＩ（例えば、Ｃ−ＲＮＴＩ＃２）に変更することが考えられる。しかしながら、Ｉｎｔｒａ−ｃｅｌｌ  ＨＯが行われると、ＨＯ処理を行っている間は基地局とユーザ装置との間でユーザデータの通信が途切れるため、スループットが劣化してしまうことになる。
【００１８】
開示の技術は上記に鑑みてなされたものであって、セカンダリセルに、プライマリセルとは異なるＣ−ＲＮＴＩを割当てることができる技術を提供することを目的とする。
【課題を解決するための手段】
【００１９】
開示の技術のユーザ装置は、キャリアアグリゲーションをサポートする無線通信システムにおいて、基地局と通信するユーザ装置であって、前記基地局から、プライマリセルにおけるセル一時識別子と、セカンダリセルにおけるセル一時識別子とを取得する取得部と、前記プライマリセルにおけるセル一時識別子と、前記セカンダリセルにおけるセル一時識別子とを用いて、前記基地局とキャリアアグリゲーションによる通信を行う通信部と、を有し、前記通信部は、前記セカンダリセルにおけるセル一時識別子が変更される場合、セル一時識別子が変更されるセカンダリセルを介したダウンリンク及びアップリンクの通信を停止する。
【発明の効果】
【００２０】
開示の技術によれば、セカンダリセルに、プライマリセルとは異なるＣ−ＲＮＴＩを割当てることができる技術が提供される。
【図面の簡単な説明】
【００２１】
【図１】従来のＬＴＥにおけるＣ−ＲＮＴＩの割当て方法を説明するための図である。
【図２】Ｒｅｌ−１３ＬＴＥにおいてＣＣを束ねる例を示す図である。
【図３】実施の形態に係る無線通信システムの構成の一例を示す図である。
【図４】実施の形態に係る基地局の機能構成の一例を示す図である。
【図５】実施の形態に係るユーザ装置の機能構成の一例を示す図である。
【図６】個別Ｃ−ＲＮＴＩの割当てに関する処理手順の一例を示すシーケンス図である。
【図７】Ｉｎｆｏｒｍａｔｉｏｎ  Ｅｌｅｍｅｎｔの設定値の一例を示す図である。
【図８】Ｉｎｆｏｒｍａｔｉｏｎ  Ｅｌｅｍｅｎｔの設定値を説明する図である。
【図９】ＤＬデータを復号する際の処理手順の一例を示すフローチャートである。
【図１０】個別Ｃ−ＲＮＴＩの割当てに関する処理手順（変形例）の一例を示すシーケンス図である。
【図１１】ランダムアクセス手順の一例を示すシーケンス図である。
【図１２】再接続処理の処理手順の一例を示すシーケンス図である。
【図１３】個別Ｃ−ＲＮＴＩを変更する際の処理手順の一例を示すシーケンス図である。
【図１４】個別Ｃ−ＲＮＴＩを変更する際の処理手順（変形例）の一例を示すシーケンス図である。
【図１５】既存Ｃ−ＲＮＴＩを変更する際の処理手順の一例を示すシーケンス図である。
【図１６】ＣＣＳ制御に用いられるＣ−ＲＮＴＩを説明するための図である。
【発明を実施するための形態】
【００２２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００２３】
各セルは、例えば、１つのＣＣ、もしくは、下りＣＣと上りＣＣとの組とからなるが、以下の説明では、特に断りがない限り、各セルはＣＣと同義と考えてよい。
【００２４】
＜概要＞
図３は、実施の形態に係る無線通信システムの構成の一例を示す図である。図２に示すように、本実施の形態における無線通信システムは、ユーザ装置ＵＥと基地局ｅＮＢとを含む無線通信システムであり、ユーザ装置ＵＥと基地局ｅＮＢとの間でＣＡ通信を行うことができる。
【００２５】
また、図３の例では、２つのセル（セルＡ、セルＢ）が示されているが、これも図示の便宜上のものであり、３つ以上のセルが存在していてもよい。また、例えば、基地局ｅＮＢから離れた場所に、基地局ｅＮＢと光ファイバ等で接続されるＲＲＥが備えられる構成であってもよい。
【００２６】
本実施の形態における基地局ｅＮＢは、ユーザ装置ＵＥに対して、ＰＣｅｌｌの通信に用いられるＣ−ＲＮＴＩと、ＳＣｅｌｌの通信に用いられるＣ−ＲＮＴＩとを別個に割り当てるようにする。また、基地局ｅＮＢは、各セルにおいて、どのユーザ装置ＵＥにどのＣ−ＲＮＴＩを割当てたのかを記憶しておく。
【００２７】
図１（ａ）を用いてより具体的に説明する。なお、図１（ａ）において、セルＡ及びセルＢのカバーエリアは重複していると仮定する。基地局ｅＮＢは、セルＡ（ＰＣｅｌｌ）に在圏しているユーザ装置ＵＥ＃Ｘに対してセルＢ（ＳＣｅｌｌ）を追加する場合、セルＢに用いられるＣ−ＲＮＴＩとして、Ｃ−ＲＮＴＩ＃２を割当てるようにする。ユーザ装置ＵＥは、セルＡ（ＰＣｅｌｌ）を介して基地局ｅＮＢと通信する場合はＣ−ＲＮＴＩ＃１を用いるようにして、セルＢ（ＳＣｅｌｌ）を介して基地局ｅＮＢと通信する場合はＣ−ＲＮＴＩ＃２を用いるようにする。
【００２８】
これにより、ＰＣｅｌｌの通信に用いられるＣ−ＲＮＴＩが、ＳＣｅｌｌ内で他のユーザ装置に割り当てられている場合であっても、ユーザ装置ＵＥは、ＣＡ通信を行うことが可能になる。
【００２９】
なお、本実施の形態では、ユーザ装置ＵＥに複数のＳＣｅｌｌが追加される場合、追加されるＳＣｅｌｌごとに別個のＣ−ＲＮＴＩが割当てられることを想定しているが、これに限られず、複数のＳＣｅｌｌで同一のＣ−ＲＮＴＩが割当てられる（用いられる）ようにしてもよい。
【００３０】
以下の説明において、ＳＣｅｌｌに割当てられるＣ−ＲＮＴＩを、便宜上、「個別Ｃ−ＲＮＴＩ」と呼ぶ。また、ＰＣｅｌｌに割当てられるＣ−ＲＮＴＩを、個別Ｃ−ＲＮＴＩと区別するために、便宜上、「既存Ｃ−ＲＮＴＩ」と呼ぶ。なお、既存Ｃ−ＲＮＴＩは、従来のＬＴＥにおけるＣ−ＲＮＴＩと同義である。
【００３１】
なお、既存Ｃ−ＲＮＴＩを「プライマリＣ−ＲＮＴＩ」と呼び、個別Ｃ−ＲＮＴＩを「セカンダリＣ−ＲＮＴＩ」と呼んでもよい。また、個別Ｃ−ＲＮＴＩを、「Ｄｅｄｉｃａｔｅｄ  Ｃ−ＲＮＴＩ」と呼んでもよい。
【００３２】
＜機能構成＞
（基地局）
図４は、実施の形態に係る基地局の機能構成の一例を示す図である。図４に示すように、基地局ｅＮＢは、信号送信部１１と、信号受信部１２と、ＣＡ制御部１３と、Ｃ−ＲＮＴＩ割当部１４とを有する。なお、図４は、基地局ｅＮＢにおいて本発明の実施の形態に特に関連する機能部のみを示すものであり、少なくともＬＴＥに準拠した動作を行うための図示しない機能も有するものである。また、図４に示す機能構成は一例に過ぎない。本実施の形態に係る動作を実行できるのであれば、機能区分や機能部の名称はどのようなものでもよい。
【００３３】
信号送信部１１は、基地局ｅＮＢから送信されるべき上位のレイヤの信号から、物理レイヤの各種信号を生成し、無線送信する機能を含む。また、信号送信部１１は、Ｃ−ＲＮＴＩ割当部１４から通知された既存Ｃ−ＲＮＴＩ又は個別Ｃ−ＲＮＴＩをユーザ装置ＵＥに送信する。
【００３４】
信号受信部１２は、ユーザ装置ＵＥから各種の信号を無線受信し、受信した物理レイヤの信号からより上位のレイヤの信号を取得する機能を含む。
【００３５】
ＣＡ制御部１３は、信号送信部１１を介してユーザ装置ＵＥに対してＳＣｅｌｌの追加及び削除を指示する機能、ユーザ装置ＵＥにおけるＣＡの構成を管理する機能を有する。
【００３６】
Ｃ−ＲＮＴＩ割当部１４は、各ユーザ装置ＵＥに既存Ｃ−ＲＮＴＩと個別Ｃ−ＲＮＴＩとを割当てる機能及び管理する機能を有する。また、Ｃ−ＲＮＴＩ割当部１４は、割当てた既存Ｃ−ＲＮＴＩ又は個別Ｃ−ＲＮＴＩを、ユーザ装置ＵＥに送信させるために信号送信部１１に通知する。
【００３７】
また、Ｃ−ＲＮＴＩ割当部１４は、必要に応じて、ユーザ装置ＵＥに割当てた既存Ｃ−ＲＮＴＩ又は個別Ｃ−ＲＮＴＩを変更する機能を有する。既存Ｃ−ＲＮＴＩ又は個別Ｃ−ＲＮＴＩを変更する場合、Ｃ−ＲＮＴＩ割当部１４は、変更した既存Ｃ−ＲＮＴＩ又は個別Ｃ−ＲＮＴＩを信号送信部１１に通知する。
【００３８】
（ユーザ装置）
図５は、実施の形態に係るユーザ装置の機能構成の一例を示す図である。図５に示すように、ユーザ装置ＵＥは、信号送信部２１と、信号受信部２２と、ＣＡ制御部２３と、Ｃ−ＲＮＴＩ取得部２４と、Ｃ−ＲＮＴＩ設定部２５とを有する。なお、図５は、ユーザ装置ＵＥにおいて本発明の実施の形態に特に関連する機能部のみを示すものであり、少なくともＬＴＥに準拠した動作を行うための図示しない機能も有するものである。また、図５に示す機能構成は一例に過ぎない。本実施の形態に係る動作を実行できるのであれば、機能区分や機能部の名称はどのようなものでもよい。
【００３９】
信号送信部２１は、ユーザ装置ＵＥから送信されるべき上位のレイヤの信号から、物理レイヤの各種信号を生成し、無線送信する機能を含む。信号受信部２２は、基地局ｅＮＢから各種の信号を無線受信し、受信した物理レイヤの信号からより上位のレイヤの信号を取得する機能を含む。また、信号送信部２１及び信号受信部２２は、ＣＡ通信を行う機能を有しており、ＰＣｅｌｌを介して通信を行う場合は既存Ｃ−ＲＮＴＩを用いて基地局ｅＮＢと通信を行い、ＳＣｅｌｌを介して通信を行う場合は個別Ｃ−ＲＮＴＩとを用いて基地局ｅＮＢと通信を行う。なお、信号送信部２１及び信号受信部２２は、個別Ｃ−ＲＮＴＩが基地局ｅＮＢから通知されない場合、ＳＣｅｌｌを介して通信を行う場合に既存Ｃ−ＲＮＴＩを用いて基地局ｅＮＢと通信を行うようにしてもよい。
【００４０】
また、信号送信部２１及び信号受信部２２は、ＣＡ制御部２３の指示を受けて、ＳＣｅｌｌをアクティブ化（Activate）及び非アクティブ化（Deactivate）する。
【００４１】
また、信号送信部２１及び信号受信部２２は、個別Ｃ−ＲＮＴＩが変更されることをＣ−ＲＮＴＩ設定部２５から通知された場合、個別Ｃ−ＲＮＴＩが変更されるＳＣｅｌｌにおけるＤＬ（Downlink）及びＵＬ（Uplink）の通信を停止する。
【００４２】
また、信号送信部２１及び信号受信部２２は、個別Ｃ−ＲＮＴＩが変更されることをＣ−ＲＮＴＩ取得部２４から通知された場合、又はＳＣｅｌｌが非アクティブ化されることをＣＡ制御部２３から指示された場合、各種無線リソースをクリアする処理を行う。例えば、信号送信部２１及び信号受信部２２は、セカンダリセルの通信に用いられるＨＡＲＱバッファ内のデータの削除、ＤＬ通信又は／及びＵＬ通信に割当てられている無線リソース情報を削除するようにしてもよい。当該無線リソース情報は、例えば、ＰＵＣＣＨ（Physical Uplink Control Channelリソース、ＳＲＳ（Sounding Reference Symbol）リソース、ＤＬスケジューリング情報（DL Schedule Information）、ＵＬグラント（UL Grant）等であってもよい。
【００４３】
また、信号送信部２１及び信号受信部２２は、Ｃ−ＲＮＴＩ設定部２５からの指示を受けて、基地局ｅＮＢとの間で再接続処理を行うようにしてもよい。
【００４４】
ＣＡ制御部２３は、基地局ｅＮＢからの指示を受けて、ＳＣｅｌｌの追加及び削除を行うように信号送信部２１及び信号受信部２２に指示する機能を有する。また、ＳＣｅｌｌのアクティブ化及び非アクティブ化を信号送信部２１及び信号受信部２２に指示する機能を有する。また、ＣＡ制御部２３は、ＳＣｅｌｌの削除及び非アクティブ化を行う場合に、各種無線リソースをクリアするように信号送信部２１及び信号受信部２２に指示する。
【００４５】
Ｃ−ＲＮＴＩ取得部２４は、基地局ｅＮＢから、既存Ｃ−ＲＮＴＩと個別Ｃ−ＲＮＴＩとを取得し、Ｃ−ＲＮＴＩ設定部２５に通知する。
【００４６】
Ｃ−ＲＮＴＩ設定部２５は、既存Ｃ−ＲＮＴＩと個別Ｃ−ＲＮＴＩとを、各セル（ＰＣｅｌｌ、ＳＣｅｌｌ）に設定する機能を有する。なお、セルにＣ−ＲＮＴＩを設定するとは、メモリ等に、セルを一意に識別する識別子（以下、「セル識別子」という）とＣ−ＲＮＴＩとを対応づけて記憶することをいう。
【００４７】
また、Ｃ−ＲＮＴＩ設定部２５は、基地局ｅＮＢから取得された既存Ｃ−ＲＮＴＩと個別Ｃ−ＲＮＴＩとが重複している（同一である）ことを検出した場合、基地局ｅＮＢとの間で再接続処理を行うように、信号送信部２１及び信号受信部２２に指示するようにしてもよい。
【００４８】
＜処理手順＞
以下、実施の形態に係る無線通信システムが行う処理手順について図を用いて説明する。
【００４９】
（個別Ｃ−ＲＮＴＩの割当て）
図６は、個別Ｃ−ＲＮＴＩの割当てに関する処理手順の一例を示すシーケンス図である。図６を用いて、ＳＣｅｌｌの設定と同時に個別Ｃ−ＲＮＴＩの割当てが行われ、個別Ｃ−ＲＮＴＩを用いてユーザ装置ＵＥ及び基地局ｅＮＢの間で通信が行われるまでの処理手順について説明する。なお、図６において、ユーザ装置ＵＥはＰＣｅｌｌを介して基地局ｅＮＢと通信しており、ＰＣｅｌｌには既存Ｃ−ＲＮＴＩが設定されている前提とする。
【００５０】
ステップＳ１０１で、基地局ｅＮＢのＣＡ制御部１３は、ユーザ装置ＵＥに対してＳＣｅｌｌを追加することを決定する。また、基地局ｅＮＢのＣ−ＲＮＴＩ割当部１４は、追加するＳＣｅｌｌに割当てるＣ−ＲＮＴＩを選択する。
【００５１】
ステップＳ１０２で、基地局ｅＮＢの信号送信部１１は、ユーザ装置ＵＥにＳＣｅｌｌを追加させるため、ＲＲＣ  Ｃｏｎｎｅｃｔｉｏｎ  Ｒｅｃｏｎｆｉｇｕｒａｔｉｏｎ信号をユーザ装置ＵＥに送信する。当該信号には、追加されるＳＣｅｌｌのセル識別子（例えば、ＰＣＩ（Physical Cell Identifier）、ＣｅｌｌＩｎｄｅｘ、ｓＣｅｌｌＩｎｄｅｘ等）と、個別Ｃ−ＲＮＴＩとが含まれている。
【００５２】
ここで、ＲＲＣ  Ｃｏｎｎｅｃｔｉｏｎ  Ｒｅｃｏｎｆｉｇｕｒａｔｉｏｎ信号に含まれるＩＥ（Information Element）の設定値の例を図７に示す。図７に示す設定値のうち、下線部に示す設定値が個別Ｃ−ＲＮＴＩに相当する。また、図７の下線部に示す設定値に関する説明を図８に示す。図６に戻り説明を続ける。
【００５３】
ステップＳ１０３で、ユーザ装置ＵＥのＣＡ制御部２３は、ＳＣｅｌｌを追加する処理を行う。また、信号受信部２２及びＣ−ＲＮＴＩ取得部２４は基地局ｅＮＢから取得した個別Ｃ−ＲＮＴＩをＣ−ＲＮＴＩ設定部２５に渡す。Ｃ−ＲＮＴＩ設定部２５は、基地局ｅＮＢから取得した個別Ｃ−ＲＮＴＩを、追加されたＳＣｅｌｌに設定する。
【００５４】
ステップＳ１０４で、ユーザ装置ＵＥの信号送信部２１は、ＳＣｅｌｌの追加が完了したことを基地局ｅＮＢに通知するため、ＲＲＣ  Ｃｏｎｎｅｃｔｉｏｎ  Ｒｅｃｏｎｆｉｇｕｒａｔｉｏｎ  Ｃｏｍｐｌｅｔｅ信号を基地局ｅＮＢに送信する。
【００５５】
ステップＳ１０５で、ＳＣｅｌｌを介して基地局ｅＮＢからユーザ装置ＵＥにＤＬデータが送信される。
【００５６】
ステップＳ１０６で、ユーザ装置ＵＥの信号受信部２２は、ＤＬデータを受信したＳＣｅｌｌのセル識別子を用いてＤＬデータの復号に用いる個別Ｃ−ＲＮＴＩを選択し、選択した個別Ｃ−ＲＮＴＩを用いてＤＬデータの復号を行う。例えば、信号受信部２２は、個別Ｃ−ＲＮＴＩを用いてＤＣＩ及びトランスポートブロックのＣＲＣ判定を行い、正しく判定された場合は、自身向けのＤＣＩ及びトランスポートブロックであると判断する。
【００５７】
ステップＳ１０７で、ＳＣｅｌｌを介してユーザ装置ＵＥから基地局ｅＮＢにＵＬデータが送信される。
【００５８】
ステップＳ１０８で、基地局ｅＮＢの信号受信部１２は、ＵＬデータを受信したＳＣｅｌｌのセル識別子を用いてＵＬデータの復号に用いる個別Ｃ−ＲＮＴＩを選択し、選択した個別Ｃ−ＲＮＴＩを用いてＵＬデータの復号を行う。例えば、信号受信部１２は、個別Ｃ−ＲＮＴＩを用いてトランスポートブロックのＣＲＣ判定を行い、正しく判定された場合は、正しいユーザ装置ＵＥから送信されたトランスポートブロックであると判断する。
【００５９】
以上、個別Ｃ−ＲＮＴＩの割当てに関する処理手順について説明したが、基地局ｅＮＢは、ＳＣｅｌｌの追加を指示する際に、必ずしも個別Ｃ−ＲＮＴＩの割当てを行わなくても良い。例えば、基地局ｅＮＢに在圏しているユーザ装置ＵＥの数が少ない場合は、従来のＬＴＥのように既存Ｃ−ＲＮＴＩを用いてＳＣｅｌｌを介した通信を行うのが適切である場合も想定されるためである。
【００６０】
この場合、ステップＳ１０２の処理手順において、基地局ｅＮＢは、従来のＬＴＥと同様に、個別Ｃ−ＲＮＴＩが含まれないＲＲＣ  Ｃｏｎｎｅｃｔｉｏｎ  Ｒｅｃｏｎｆｉｇｕｒａｔｉｏｎ信号をユーザ装置ＵＥに送信する。
【００６１】
また、ステップＳ１０３の処理手順において、ユーザ装置ＵＥのＣ−ＲＮＴＩ設定部２５は、既存Ｃ−ＲＮＴＩを追加されたＳＣｅｌｌに設定する。
【００６２】
また、ステップＳ１０６の処理手順において、ユーザ装置ＵＥの信号受信部２２は、既存Ｃ−ＲＮＴＩを用いてＤＬデータの復号を行う。より具体的には、図９に示すように、ユーザ装置ＵＥの信号受信部１２は、ＵＬデータを受信したＳＣｅｌｌに個別Ｃ−ＲＮＴＩが割当てられているのか否かを判定する（Ｓ１５１）。ＳＣｅｌｌに個別Ｃ−ＲＮＴＩが割当てられている場合、個別Ｃ−ＲＮＴＩを用いてＤＬデータの復号を試みる（Ｓ１５２）。一方、ＳＣｅｌｌに個別Ｃ−ＲＮＴＩが割当てられていない場合、既存Ｃ−ＲＮＴＩ（ＰＣｅｌｌに割当てられているＣ−ＲＮＴＩ）を用いてＤＬデータの復号を試みる（Ｓ１５３）。
【００６３】
以上説明した個別Ｃ−ＲＮＴＩの割当ては、ユーザ装置ＵＥに所定数のＣＣが設定されている場合に限定されていてもよい。また、ユーザ装置ＵＥで所定数のＣＣがアクティブ化（Activate）されている、或いは、ＵＬについてはＵＬタイミングが取れている（セルが所属するＴＡＧ（Timing Advance Group）のＴＡ（Time Alignment）タイマが起動中）場合に限定されてもよい。なお、所定数は、５ＣＣでもよい。これは、従来のＣＡのように５ＣＣまでであれば、Ｃ−ＲＮＴＩの衝突は問題にならないためである。
【００６４】
（個別Ｃ−ＲＮＴＩの割当て（変形例））
図１０は、個別Ｃ−ＲＮＴＩの割当てに関する処理手順（変形例）の一例を示すシーケンス図である。個別Ｃ−ＲＮＴＩの割当て（変形例）では、基地局ｅＮＢは、既存Ｃ−ＲＮＴＩ及び個別Ｃ−ＲＮＴＩを含む複数のＣ−ＲＮＴＩをユーザ装置ＵＥに予め通知しておき、ＳＣｅｌを追加する際に、ＳＣｅｌｌにどのＣ−ＲＮＴＩを割当てるのかを指定するようにする。
【００６５】
ステップＳ２０１で、基地局ｅＮＢのＣ−ＲＮＴＩ割当部１４は、ユーザ装置ＵＥに割当てるＣ−ＲＮＴＩを複数選択する。Ｃ−ＲＮＴＩ割当部１４は、既存Ｃ−ＲＮＴＩ及び１つの個別Ｃ−ＲＮＴＩを選択するようにしてもよいし、複数のＳＣｅｌｌを用いたＣＡ通信が行われることを想定し、既存Ｃ−ＲＮＴＩ及び複数の個別Ｃ−ＲＮＴＩを選択するようにしてもよい。
【００６６】
ステップＳ２０２で、基地局ｅＮＢの信号送信部１１は、ステップＳ２０１で選択された既存Ｃ−ＲＮＴＩと１以上の個別Ｃ−ＲＮＴＩと、当該１以上の個別Ｃ−ＲＮＴＩを一意に識別する識別子（便宜上、「個別Ｃ−ＲＮＴＩ識別子」と呼ぶ）とを、Ｃ−ＲＮＴＩ通知信号に含めてユーザ装置ＵＥに送信する。なお、Ｃ−ＲＮＴＩ通知信号は、例えば、ＲＡＣＨ  Ｒｅｓｐｏｎｓｅ（Ｒａｎｄｏｍ  Ａｃｃｅｓｓ  Ｒｅｓｐｏｎｓｅ）であってもよい。なお、ＲＡＣＨ  Ｒｅｓｐｏｎｓｅの場合、既存Ｃ−ＲＮＴＩは従来のＬＴＥにおけるＴｅｍｐｏｒａｒｙ  Ｃ−ＲＮＴＩとしてユーザ装置ＵＥに送信されるようにしてもよい。
【００６７】
また、基地局ｅＮＢの信号送信部１１は、ステップＳ２０２の処理手順の前に行われるランダムアクセス手順の中で、既存Ｃ−ＲＮＴＩをユーザ装置ＵＥに送信するようにしておき、ステップＳ２０２の処理手順で送信されるＣ−ＲＮＴＩ通知信号には、１以上の個別Ｃ−ＲＮＴＩと個別Ｃ−ＲＮＴＩ識別子とを含めるようにしてもよい。この場合、Ｃ−ＲＮＴＩ通知信号は、物理レイヤ（例えば、ＰＤＣＣＨ、ＥＰＤＣＣＨ、ＰＤＳＣＨ等）により送信される信号であってもよい。また、Ｃ−ＲＮＴＩ通知信号は、ＭＡＣ（Media Access Control）レイヤにおけるＭＡＣ  ＣＥ（Control Element）であってもよい。
【００６８】
ステップＳ２０３で、ユーザ装置ＵＥの信号受信部２２及びＣ−ＲＮＴＩ取得部２４は基地局ｅＮＢから取得した複数のＣ−ＲＮＴＩのうち、個別Ｃ−ＲＮＴＩと個別Ｃ−ＲＮＴＩ識別子とをＣ−ＲＮＴＩ設定部２５に渡す。Ｃ−ＲＮＴＩ設定部２５は、１以上の個別Ｃ−ＲＮＴＩと個別Ｃ−ＲＮＴＩを一意に識別する識別子とをメモリに記憶させる。
【００６９】
ステップＳ２０４で、基地局ｅＮＢのＣＡ制御部１３は、ユーザ装置ＵＥに対してＳＣｅｌｌを追加することを決定する。また、Ｃ−ＲＮＴＩ割当部１４は、追加するＳＣｅｌｌに割当てる個別Ｃ−ＲＮＴＩを、ステップＳ２０２の処理手順でユーザ装置ＵＥに送信された１以上の個別Ｃ−ＲＮＴＩの中から１つ選択する。
【００７０】
ステップＳ２０５で、基地局ｅＮＢの信号送信部１１は、ユーザ装置ＵＥにＳＣｅｌｌを追加させるため、ＲＲＣ  Ｃｏｎｎｅｃｔｉｏｎ  Ｒｅｃｏｎｆｉｇｕｒａｔｉｏｎ信号をユーザ装置ＵＥに送信する。当該信号には、追加されるＳＣｅｌｌのセル識別子（例えば、ＰＣＩ、ＣｅｌｌＩｎｄｅｘ、ｓＣｅｌｌＩｎｄｅｘ等）と、ステップＳ２０４の処理手順で選択された個別Ｃ−ＲＮＴＩに対応する個別Ｃ−ＲＮＴＩ識別子とが含まれている。
【００７１】
ステップＳ２０６で、ユーザ装置ＵＥのＣＡ制御部２３は、ＳＣｅｌｌを追加する処理を行う。また、Ｃ−ＲＮＴＩ設定部２５は、ステップＳ２０５の処理手順で受信した個別Ｃ−ＲＮＴＩ識別子に対応する個別Ｃ−ＲＮＴＩをメモリから読出し、追加されたＳＣｅｌｌに設定する。
【００７２】
ステップＳ２０７で、ユーザ装置ＵＥの信号送信部２１は、ＳＣｅｌｌの追加が完了したことを基地局ｅＮＢに通知するため、ＲＲＣ  Ｃｏｎｎｅｃｔｉｏｎ  Ｒｅｃｏｎｆｉｇｕｒａｔｉｏｎ  Ｃｏｍｐｌｅｔｅ信号を基地局ｅＮＢに送信する。
【００７３】
以上説明した、個別Ｃ−ＲＮＴＩの割当てに関する処理手順（変形例）によれば、ＳＣｅｌｌを追加する際に、個別Ｃ−ＲＮＴＩそのものをユーザ装置ＵＥに通知する代わりに、個別Ｃ−ＲＮＴＩ識別子のみを通知すればよいため、ＳＣｅｌｌを追加する際に基地局ｅＮＢからユーザ装置ＵＥに送信される信号の信号量を削減することができる。
【００７４】
（ランダムアクセス処理）
図１１は、ランダムアクセス手順の一例を示すシーケンス図である。図１１を用いて、競合ベースのランダムアクセス手順（Contention based Random Access Procedure）が行われる場合の処理手順について説明する。
【００７５】
従来のＬＴＥにおける競合ベースのランダムアクセス手順では、ユーザ装置ＵＥは、Ｍｓｇ３（Message3）にＣ−ＲＮＴＩを含めて基地局ｅＮＢに送信することが規定されている。そこで、本実施の形態では、ユーザ装置ＵＥは、Ｍｓｇ３に個別Ｃ−ＲＮＴＩを含めて基地局ｅＮＢに通知するようにしてもよい。
【００７６】
ステップＳ３０１で、ユーザ装置ＵＥの信号送信部２１は、Ｒａｎｄｏｍ  Ａｃｃｅｓｓ  Ｐｒｅａｍｂｌｅを基地局ｅＮＢに送信する。
【００７７】
ステップＳ３０２で、基地局ｅＮＢの信号送信部１１は、Ｒａｎｄｏｍ  Ａｃｃｅｓｓ  Ｒｅｓｐｏｎｓｅを送信する。
【００７８】
ステップＳ３０３で、ユーザ装置ＵＥのＣ−ＲＮＴＩ設定部２５は、Ｍｓｇ３で基地局ｅＮＢに送信するＣ−ＲＮＴＩを選択する。Ｃ−ＲＮＴＩ設定部２５は、例えば、ＰＣｅｌｌに設定されている既存Ｃ−ＲＮＴＩを選択してもよいし、個別Ｃ−ＲＮＴＩを選択するようにしてもよい。また、個別Ｃ−ＲＮＴＩを選択する場合、Ｃ−ＲＮＴＩ設定部２５は、セル識別子が最も小さいＳＣｅｌｌに設定されている個別Ｃ−ＲＮＴＩを選択するようにしてもよいし、セル識別子が最も大きいＳＣｅｌｌに設定されている個別Ｃ−ＲＮＴＩを選択するようにしてもよい。
【００７９】
また、ＣＡ通信が行われている場合、一連のランダムアクセス手順において基地局ｅＮＢとユーザ装置ＵＥとの間で送受信される信号が、ＰＣｅｌｌ及び１以上のＳＣｅｌｌを跨いで送受信されることも想定される。例えば、Ｒａｎｄｏｍ  Ａｃｃｅｓｓ  ＰｒｅａｍｂｌｅはＰＣｅｌｌを介して送受信され、Ｒａｎｄｏｍ  Ａｃｃｅｓｓ  Ｒｅｓｐｏｎｓｅ以降の信号はＳＣｅｌｌを介して送受信されるような場合も想定される。
【００８０】
この場合、Ｃ−ＲＮＴＩ設定部２５は、Ｒａｎｄｏｍ  Ａｃｃｅｓｓ  Ｒｅｓｐｏｎｓｅを受信したセル（ＰＣｅｌｌ及び１以上のＳＣｅｌｌのうちいずれか１つのセル）に設定されているＣ−ＲＮＴＩを選択するようにしてもよい。また、Ｃ−ＲＮＴＩ設定部２５は、Ｍｓｇ３を送信するセル（ＰＣｅｌｌ及び１以上のＳＣｅｌｌのうちいずれか１つのセルであって、Ｍｓｇ３を送信することが予め規定されているセル）に設定されているＣ−ＲＮＴＩを選択するようにしてもよい。また、Ｃ−ＲＮＴＩ設定部２５は、Ｒａｎｄｏｍ  Ａｃｃｅｓｓ  Ｐｒｅａｍｂｌｅを送信したセル（ＰＣｅｌｌ及び１以上のＳＣｅｌｌのうちいずれか１つのセル）に設定されているＣ−ＲＮＴＩを選択するようにしてもよい。また、基地局ｅＮＢは、どのセル（ＰＣｅｌｌ及び１以上のＳＣｅｌｌのうちいずれか１つのセル）のＣ−ＲＮＴＩをＭｓｇ３に含めるべきかを予めユーザ装置ＵＥに指示しておき、Ｃ−ＲＮＴＩ設定部２５は、指示されたセルのＣ−ＲＮＴＩを選択するようにしてもよい。
【００８１】
ステップＳ３０４で、ユーザ装置ＵＥの信号送信部２１は、ステップＳ３０３で選択されたＣ−ＲＮＴＩをＭｓｇ３に含めて基地局ｅＮＢに送信する。
【００８２】
ステップＳ３０５で、基地局ｅＮＢの信号受信部１２は、Ｍｓｇ３に含まれるＣ−ＲＮＴＩを用いて、ステップＳ３０１でＲａｎｄｏｍ  Ａｃｃｅｓｓ  Ｐｒｅａｍｂｌｅを送信したユーザ装置ＵＥを一意に識別する。なお、基地局ｅＮＢは、どのユーザ装置ＵＥにどのＣ−ＲＮＴＩを割当てたのかを全て把握している。従って、基地局ｅＮＢは、Ｍｓｇ３に含まれるＣ−ＲＮＴＩからユーザ装置ＵＥを一意に特定することが可能である。
【００８３】
（再接続処理）
図１２は、再接続処理の処理手順の一例を示すシーケンス図である。図１２を用いて、再接続処理が行われる際の処理手順について説明する。
【００８４】
従来のＬＴＥにおいて、ユーザ装置ＵＥは、再接続処理で送信されるＲＲＣ  Ｃｏｎｎｅｃｔｉｏｎ  Ｒｅ−ｅｓｔａｂｌｉｓｈｍｅｎｔ  Ｒｅｑｕｅｓｔの中にＣ−ＲＮＴＩを含めることが規定されている。そこで、本実施の形態では、ユーザ装置ＵＥは、当該ＲＲＣ信号に個別Ｃ−ＲＮＴＩを含めて基地局ｅＮＢに通知するようにしてもよい。
【００８５】
ステップＳ４０１で、ユーザ装置ＵＥは再接続処理を行うことを決定する。
【００８６】
ステップＳ４０２乃至ステップＳ４０４の処理手順は、図１１のステップＳ３０１乃至ステップＳ３０３の処理手順と同一であるため説明は省略する。
【００８７】
ステップＳ４０５で、ユーザ装置ＵＥの信号送信部２１は、ステップＳ３０３で選択されたＣ−ＲＮＴＩをＲＲＣ  Ｃｏｎｎｅｃｔｉｏｎ  Ｒｅ−ｅｓｔａｂｌｉｓｈｍｅｎｔ  Ｒｅｑｕｅｓｔに含めて基地局ｅＮＢに送信する。
【００８８】
ステップＳ４０６で、基地局ｅＮＢの信号受信部１２は、ＲＲＣ  Ｃｏｎｎｅｃｔｉｏｎ  Ｒｅ−ｅｓｔａｂｌｉｓｈｍｅｎｔ  Ｒｅｑｕｅｓｔに含まれるＣ−ＲＮＴＩを用いて、ステップＳ４０２でＲａｎｄｏｍ  Ａｃｃｅｓｓ  Ｐｒｅａｍｂｌｅを送信したユーザ装置ＵＥを一意に識別する。なお、基地局ｅＮＢの信号受信部１２は、当該ＲＲＣ信号に含まれるＣ−ＲＮＴＩと、当該ＲＲＣ信号に含まれるセル識別子（ＰＣＩ）及びｓｈｏｒｔＭＡＣ−Ｉとを用いてユーザ装置ＵＥを一意に識別するようにしてもよい。
【００８９】
（個別Ｃ−ＲＮＴＩ変更処理）
従来のＬＴＥでは、ユーザ装置ＵＥに割当てたＣ−ＲＮＴＩ（既存Ｃ−ＲＮＴＩ）を変更する場合、基地局ｅＮＢは、Ｉｎｔｒａ−ｃｅｌｌ  ＨＯを用いてユーザ装置ＵＥに再度ランダムアクセス処理を実行させることでＣ−ＲＮＴＩを変更していた。一方、本実施の形態において個別Ｃ−ＲＮＴＩを変更する場合、既存Ｃ−ＲＮＴＩを変更する必要はないため、Ｉｎｔｒａ−ｃｅｌｌ  ＨＯの処理手順を行わずに個別Ｃ−ＲＮＴＩを変更できるようにすることが望ましい。
【００９０】
しかしながら、個別Ｃ−ＲＮＴＩを変更する際、ユーザ装置ＵＥ側で個別Ｃ−ＲＮＴＩの変更が完了するまでの間、基地局ｅＮＢとユーザ装置ＵＥとの間で個別Ｃ−ＲＮＴＩの不一致が生じることになり、正常に通信を行うことができない可能性がある。そこで、本実施の形態では、個別Ｃ−ＲＮＴＩの変更が完了するまでの間、ＳＣｅｌｌで行われる通信を一旦停止させるようにする。
【００９１】
図１３は、個別Ｃ−ＲＮＴＩを変更する際の処理手順の一例を示すシーケンス図である。図１３を用いて、ユーザ装置ＵＥに割当てられた個別Ｃ−ＲＮＴＩを変更する際の処理手順について説明する。
【００９２】
ステップＳ５０１で、基地局ｅＮＢのＣ−ＲＮＴＩ割当部１４は、ユーザ装置ＵＥに割当てた個別Ｃ−ＲＮＴＩを変更するために、信号送信部１１を介して個別Ｃ−ＲＮＴＩ変更指示信号をユーザ装置ＵＥに送信する。個別Ｃ−ＲＮＴＩ変更指示信号には、例えば、変更前の個別Ｃ−ＲＮＴＩと、変更後の個別Ｃ−ＲＮＴＩとが含まれるようにしてもよい。また、個別Ｃ−ＲＮＴＩ変更指示信号に、変更前の個別Ｃ−ＲＮＴＩに対応する個別Ｃ−ＲＮＴＩ識別子と、変更後の個別Ｃ−ＲＮＴＩとが含まれるようにしてもよい。また、個別Ｃ−ＲＮＴＩ変更指示信号に、変更前の個別Ｃ−ＲＮＴＩが設定されているセルのセル識別子（例えば、ＰＣＩ、ＣｅｌｌＩｎｄｅｘ、ｓＣｅｌｌＩｎｄｅｘ等）と、変更後の個別Ｃ−ＲＮＴＩとが含まれるようにしてもよい。
【００９３】
また、個別Ｃ−ＲＮＴＩ変更指示信号は、ＲＲＣ  Ｃｏｎｎｅｃｔｉｏｎ  Ｒｅｃｏｎｆｉｇｕｒａｔｉｏｎ信号であってもよいし、他のＲＲＣ信号であってもよいし、ＭＡＣレイヤで用いられるＭＡＣ  ＣＥであってもよい。
【００９４】
ステップＳ５０２で、ユーザ装置ＵＥの信号送信部２１及び信号受信部２２は、個別Ｃ−ＲＮＴＩが変更されるＳＣｅｌｌでのＤＬ及びＵＬの通信を停止する。また、ユーザ装置ＵＥのＣ−ＲＮＴＩ取得部２４は、変更後の個別Ｃ−ＲＮＴＩをＣ−ＲＮＴＩ設定部２５に通知し、Ｃ−ＲＮＴＩ設定部２５は、変更後の個別Ｃ−ＲＮＴＩを、変更前の個別Ｃ−ＲＮＴＩに対応するＳＣｅｌｌに設定する。
【００９５】
なお、ユーザ装置ＵＥの信号送信部２１及び信号受信部２２は、変更される個別Ｃ−ＲＮＴＩに対応するＳＣｅｌｌを、ＣＡ制御部２３の指示により自律的に非アクティブ化することで、ＤＬ及びＵＬの通信を停止するようにしてもよい。
【００９６】
また、ユーザ装置ＵＥの信号送信部２１及び信号受信部２２は、変更される個別Ｃ−ＲＮＴＩに対応するＳＣｅｌｌが所属するＴＡＧのＴＡタイマが満了したとみなすことで、当該ＳＣｅｌｌにおけるＵＬ通信を抑止するようにしてもよい。また、信号送信部２１及び信号受信部２２は、ＴＡタイマが満了したとみなすことで、当該ＳＣｅｌｌにおけるＨＡＲＱバッファ内のデータを削除（フラッシュ）し、ＤＬスケジューリング情報（DL Schedule Information）、ＵＬグラント（UL Grant）をクリアするようにしてもよい。
【００９７】
また、ユーザ装置ＵＥの信号送信部２１及び信号受信部２２は、変更される個別Ｃ−ＲＮＴＩに対応するＳＣｅｌｌにおける各種無線リソース情報を有効である（Validである）と見なさないようにしてもよい。また、ユーザ装置ＵＥの信号送信部２１及び信号受信部２２は、各種無線リソース情報を削除することで、各種無線リソースを自律的に開放するようにしてもよい。各種無線リソース情報とは、例えば、ＰＵＣＣＨリソースに関する情報、ＳＲＳリソースに関する情報、ＤＬスケジューリング情報、ＵＬグラント等であってもよい。
【００９８】
ステップＳ５０３で、ユーザ装置ＵＥの信号送信部２１及び信号受信部２２は、個別Ｃ−ＲＮＴＩの変更が完了し、ＤＬ及びＵＬの通信を開始（再開）できる状態であることを基地局ｅＮＢに通知するために、個別Ｃ−ＲＮＴＩ変更完了通知信号を基地局ｅＮＢに送信する。個別Ｃ−ＲＮＴＩ変更完了通知信号は、例えば、ＲＲＣ  Ｃｏｎｎｅｃｔｉｏｎ  Ｒｅｃｏｎｆｉｇｕｒａｔｉｏｎ  Ｃｏｍｐｌｅｔｅ信号であってもよい。また、ユーザ装置ＵＥの信号送信部２１及び信号受信部２２は、個別Ｃ−ＲＮＴＩ変更完了通知信号を送信した後、基地局ｅＮＢとの間でＤＬ及びＵＬの通信を開始（再開）する。
【００９９】
（個別Ｃ−ＲＮＴＩ変更処理（変形例））
図１４は、個別Ｃ−ＲＮＴＩを変更する際の処理手順（変形例）の一例を示すシーケンス図である。図１４を用いて、ユーザ装置ＵＥに割当てられた個別Ｃ−ＲＮＴＩを変更する際の処理手順（変形例）について説明する。
【０１００】
ステップＳ６０１で、基地局ｅＮＢのＣＡ制御部１３は、個別Ｃ−ＲＮＴＩの変更を行うＳＣｅｌｌを削除するため、信号送信部１１を介してＲＲＣ  Ｃｏｎｎｅｃｔｉｏｎ  Ｒｅｃｏｎｆｉｇｕｒａｔｉｏｎ信号をユーザ装置ＵＥに送信する。
【０１０１】
ステップＳ６０２で、ユーザ装置ＵＥのＣＡ制御部２３は、ステップＳ６０１で指示されたＳＣｅｌｌを削除し、信号送信部２１を介してＲＲＣ  Ｃｏｎｎｅｃｔｉｏｎ  Ｒｅｃｏｎｆｉｇｕｒａｔｉｏｎ  Ｃｏｍｐｌｅｔｅ信号をユーザ装置ＵＥに送信する。
【０１０２】
続いて、基地局ｅＮＢ及びユーザ装置ＵＥは、図６のステップＳ１０１乃至ステップＳ１０４の処理手順を用いて再度ＳＣｅｌｌを追加する処理を行う。なお、ステップＳ１０２の処理手順で、基地局ｅＮＢの信号送信部１１は、変更後の個別Ｃ−ＲＮＴＩをユーザ装置ＵＥに通知するようにする。
【０１０３】
なお、ＳＣｅｌｌの削除と追加は同一ＲＲＣ手順及び、同一ＲＲＣ信号内で行われても良い。すなわち、ステップＳ６０１及びステップＳ１０２の処理手順で用いられるＲＲＣ信号は同一のＲＲＣ信号であってもよいし、ステップＳ６０２及びステップＳ１０４の処理手順で用いられるＲＲＣ信号は同一のＲＲＣ信号であってもよい。
【０１０４】
（既存Ｃ−ＲＮＴＩ変更処理）
前述の通り、従来のＬＴＥでは、既存Ｃ−ＲＮＴＩを変更する場合、基地局ｅＮＢは、Ｉｎｔｒａ−ｃｅｌｌ  ＨＯを用いてユーザ装置ＵＥに再度ランダムアクセス処理を実行させることで既存Ｃ−ＲＮＴＩを変更する。
【０１０５】
この場合において、基地局ｅＮＢの実装次第では、変更された既存Ｃ−ＲＮＴＩが、個別Ｃ−ＲＮＴＩと重複してしまうことが想定される。一方、ユーザ装置ＵＥは、既存Ｃ−ＲＮＴＩと個別Ｃ−ＲＮＴＩとの重複を、許容する場合と許容しない場合とが考えられる。
【０１０６】
以下、既存Ｃ−ＲＮＴＩと個別Ｃ−ＲＮＴＩとの重複が許容されない場合にユーザ装置ＵＥが行う処理手順、及び、既存Ｃ−ＲＮＴＩと個別Ｃ−ＲＮＴＩとの重複が許容される場合にユーザ装置ＵＥが行う処理手順について説明する。
【０１０７】
図１５は、既存Ｃ−ＲＮＴＩを変更する際の処理手順の一例を示すシーケンス図である。
【０１０８】
まず、既存Ｃ−ＲＮＴＩと個別Ｃ−ＲＮＴＩとの重複が許容されない場合にユーザ装置ＵＥが行う処理手順について説明する。
【０１０９】
ステップＳ７０２で、基地局ｅＮＢの信号送信部１１は、Ｍｏｂｉｌｉｔｙ  Ｃｏｎｔｒｏｌ  Ｉｎｆｏｒｍａｔｉｏｎを含むＲＲＣ  Ｃｏｎｎｅｃｔｉｏｎ  Ｒｅｃｏｎｆｉｇｕｒａｔｉｏｎ信号をユーザ装置ＵＥに送信することで、ユーザ装置ＵＥにＩｎｔｒａ−ｃｅｌｌ  ＨＯを実行させる。続いて、ユーザ装置ＵＥと基地局ｅＮＢとの間で、Ｉｎｔｒａ−ｃｅｌｌ  ＨＯの処理手順が行われ、変更後の既存Ｃ−ＲＮＴＩがユーザ装置ＵＥに通知される。
【０１１０】
ステップＳ７０３で、ユーザ装置ＵＥのＣ−ＲＮＴＩ設定部２５は、既存Ｃ−ＲＮＴＩと個別Ｃ−ＲＮＴＩとが重複したことを検出する。信号送信部２１及び信号受信部２２は、基地局ｅＮＢとの間で再接続手順を行うことで、別の既存Ｃ−ＲＮＴＩの割当てを基地局ｅＮＢに実行させる。
【０１１１】
次に、既存Ｃ−ＲＮＴＩと個別Ｃ−ＲＮＴＩとの重複が許容される場合にユーザ装置ＵＥが行う処理手順について説明する。
【０１１２】
まず、前述のステップＳ７０２の処理手順が行われる。続いて、ステップＳ７０４で、ユーザ装置ＵＥのＣ−ＲＮＴＩ設定部２５は、既存Ｃ−ＲＮＴＩと個別Ｃ−ＲＮＴＩとが重複したことを検出する。続いて、Ｃ−ＲＮＴＩ設定部２５は、個別Ｃ−ＲＮＴＩを破棄する（メモリから削除）ようにしてもよいし、個別Ｃ−ＲＮＴＩを破棄せず（メモリから削除しない）、そのまま保持するようにしてもよい。
【０１１３】
（ＣＣＳ制御における処理手順）
ＬＴＥのＲｅｌ−１０では、ＣＣＳ（Cross Carrier Scheduling）制御が導入されている。ＣＣＳ制御では、ＰＣｅｌｌを介して送信されるＰＤＣＣＨに、ＳＣｅｌｌに関するスケジューリング情報を含めることができる。
【０１１４】
図１６は、ＣＣＳ制御に用いられるＣ−ＲＮＴＩを説明するための図である。なお、図１６において、セルＡはＰＣｅｌｌ（すなわち、スケジューリング情報が送信されるセル）であり、セルＢはＳＣｅｌｌであると仮定する。
【０１１５】
ユーザ装置ＵＥの信号送信部２１及び信号受信部２２は、セルＡを介して基地局ｅＮＢから送信されるＰＤＣＣＨ（Ｓ８０１）、ＰＤＳＣＨ（Ｓ８０２）、及びセルＡを介して基地局ｅＮＢに送信するＰＵＳＣＨ（Ｓ８０３）に対する処理を行う場合、既存Ｃ−ＲＮＴＩを用いるようにする。
【０１１６】
また、ユーザ装置ＵＥの信号送信部２１及び信号受信部２２は、セルＢを介して基地局ｅＮＢから送信されるＰＤＳＣＨ（Ｓ８０３）、及びセルＢを介して基地局ｅＮＢに送信するＰＵＳＣＨ（Ｓ８０５）に対する処理を行う場合、個別Ｃ−ＲＮＴＩを用いるようにする。
【０１１７】
また、ＰＵＣＣＨ  ｆｏｒｍａｔ３（Ｓ８０６）で送信される情報には、ユーザ装置ＵＥ間の干渉をランダム化するために、Ｃ−ＲＮＴＩ等に基づいて決定されるスクランブル系列が乗算される。そこで、ユーザ装置ＵＥの信号送信部２１は、スクランブル系列を決定する際に用いられるＣ−ＲＮＴＩとして、既存Ｃ−ＲＮＴＩ（ＰＣｅｌｌに設定されるＣ−ＲＮＴＩ）を用いるようにしてもよい。また、ユーザ装置ＵＥの信号送信部２１は、スクランブル系列を決定する際に用いられるＣ−ＲＮＴＩとして、ＰＵＣＣＨで送信する各ＣＣ（各セル）のＵＣＩ（Uplink Control Information）のうち、最もＣＣインデックスが小さいＣＣ（セル）のＣ−ＲＮＴＩを用いるようにしてもよいし、最もＣＣインデックスが大きいＣＣ（セル）のＣ−ＲＮＴＩを用いるようにしてもよい。また、ユーザ装置ＵＥの信号送信部２１は、個別Ｃ−ＲＮＴＩのうち、最も小さい番号の個別Ｃ−ＲＮＴＩを用いるようにしてもよいし、個別Ｃ−ＲＮＴＩのうち、最も大きい番号の個別Ｃ−ＲＮＴＩを用いるようにしてもよい。なお、スクランブル系列を決定する際に用いられるＣ−ＲＮＴＩは、基地局ｅＮＢとユーザ装置ＵＥとの間で予め決められたＣ−ＲＮＴＩであれば、どのＣ−ＲＮＴＩが用いられるようにしてもよい。
【０１１８】
＜まとめ＞
以上、実施の形態によれば、キャリアアグリゲーションをサポートする無線通信システムにおいて、基地局と通信するユーザ装置であって、前記基地局から、プライマリセルにおけるセル一時識別子と、セカンダリセルにおけるセル一時識別子とを取得する取得部と、前記プライマリセルにおけるセル一時識別子と、前記セカンダリセルにおけるセル一時識別子とを用いて、前記基地局とキャリアアグリゲーションによる通信を行う通信部と、を有するユーザ装置が提供される。このユーザ装置ＵＥにより、セカンダリセルに、プライマリセルとは異なるＣ−ＲＮＴＩを割当てることができる技術が提供される。
【０１１９】
また、前記通信部は、プライマリセル又はセカンダリセルを介して前記基地局との間でランダムアクセス手順を行い、前記プライマリセルにおけるセル一時識別子又は前記セカンダリセルにおけるセル一時識別子を含むメッセージ３を前記基地局に送信するようにしてもよい。これにより、ユーザ装置ＵＥは、ランダムアクセス手順において個別Ｃ−ＲＮＴＩを用いることが可能になる。また、基地局ｅＮＢは、ランダムアクセス手順において、個別Ｃ−ＲＮＴＩを用いてユーザ装置ＵＥを一意に識別することが可能になる。
【０１２０】
また、前記通信部は、ランダムアクセスプリアンブルをプライマリセルを介して送信した場合、又はランダムアクセスレスポンス信号をプライマリセルから受信した場合、又はメッセージ３をプライマリセルを介して送信することが予め規定されている場合、又はメッセージ３に前記プライマリセルにおけるセル一時識別子を含めることが前記基地局から指定されている場合に、前記プライマリセルにおけるセル一時識別子を含むメッセージ３を前記基地局に送信し、ランダムアクセスプリアンブルをセカンダリセルを介して送信した場合、又はランダムアクセスレスポンス信号をセカンダリセルから受信した場合、又はメッセージ３をセカンダリセルを介して送信することが予め規定されている場合、又はメッセージ３に前記セカンダリセルにおけるセル一時識別子を含めることが前記基地局から指定されている場合に、前記セカンダリセルにおけるセル一時識別子を含むメッセージ３を前記基地局に送信するようにしてもよい。これにより、一連のランダムアクセス手順において、基地局ｅＮＢとユーザ装置ＵＥとの間で送受信される信号がＰＣｅｌｌ及び１以上のＳＣｅｌｌを跨いで送受信される場合であっても、ユーザ装置ＵＥは、適切なＣ−ＲＮＴＩを基地局ｅＮＢに通知することが可能になる。
【０１２１】
また、前記通信部は、前記セカンダリセルにおけるセル一時識別子が変更される場合、セル一時識別子が変更されるセカンダリセルを介したダウンリンク及びアップリンクの通信を停止するようにしてもよい。これにより、ユーザ装置ＵＥ側で個別Ｃ−ＲＮＴＩの変更が完了するまでの間、基地局ｅＮＢとユーザ装置ＵＥとの間で個別Ｃ−ＲＮＴＩの不一致が生じることにより発生する可能性のある通信異常を、未然に防止することが可能になる。また、基地局ｅＮＢ及びユーザ装置ＵＥは、従来のＬＴＥとは異なり、Ｉｎｔｒａ−ｃｅｌｌ  ＨＯの処理手順を行わずに個別Ｃ−ＲＮＴＩを変更することが可能になる。また、これにより、個別Ｃ−ＲＮＴＩが変更される際に、スループットが低下してしまうのを防止できる。
【０１２２】
また、前記通信部は、セル一時識別子が変更されたセカンダリセルを非アクティブ化することで、ダウンリンク及びアップリンクの通信を停止するようにしてもよい。これにより、ユーザ装置ＵＥは、個別Ｃ−ＲＮＴＩの変更時に通信を停止する際、従来のＬＴＥで用いられる処理手順を流用することができる。
【０１２３】
また、前記通信部は、セル一時識別子が変更されたセカンダリセルにおけるＨＡＲＱバッファ内のデータを削除し、ダウンリンク及びアップリンクの少なくとも一方の通信に割当てられている無線リソース情報を削除するようにしてもよい。これにより、ユーザ装置ＵＥは、個別Ｃ−ＲＮＴＩが変更される際に、不要な無線リソース情報等による影響（例えば、不要な無線リソース情報がメモリ内に存在することにより発生し得る誤作動等）を排除することが可能になる。
【０１２４】
また、前記通信部は、前記プライマリセルにおけるセル一時識別子が変更された場合であって、かつ、変更された前記プライマリセルにおけるセル一時識別子が、前記セカンダリセルにおけるセル一時識別子と同一である場合、前記基地局との間で再接続処理を行うようにしてもよい。これにより、ユーザ装置ＵＥにおいて既存Ｃ−ＲＮＴＩと個別Ｃ−ＲＮＴＩとの重複が許容されない場合、新たな既存Ｃ−ＲＮＴＩの割当てを基地局ｅＮＢに実行させることが可能になる。
【０１２５】
また、前記取得部においてセカンダリセルにおけるセル一時識別子が取得されない場合、前記通信部は、前記セカンダリセルにおけるセル一時識別子に代えて、前記プライマリセルにおけるセル一時識別子を用いて前記基地局と通信を行うようにしてもよい。これにより、基地局ｅＮＢは、例えば、基地局ｅＮＢに在圏しているユーザ装置ＵＥの数に応じて、ユーザ装置ＵＥに個別Ｃ−ＲＮＴＩを割当てるのか否かを制御することができ、より柔軟にＣ−ＲＮＴＩの割当てを行うことが可能になる。また、ユーザ装置ＵＥは、ＣＡ通信を行う場合に、常に既存Ｃ−ＲＮＴＩと個別Ｃ−ＲＮＴＩとを使い分ける必要がなくなるため、ＣＡ通信時の処理負荷が軽減される。
【０１２６】
また、以上、実施の形態によれば、キャリアアグリゲーションをサポートし、基地局とユーザ装置とを有する無線通信システムであって、前記基地局は、プライマリセルにおけるセル一時識別子と、セカンダリセルにおけるセル一時識別子とをユーザ装置に送信する送信部、を有し、前記ユーザ装置は、前記基地局から、前記プライマリセルにおけるセル一時識別子と、前記セカンダリセルにおけるセル一時識別子とを取得する取得部と、
前記プライマリセルにおけるセル一時識別子と、前記セカンダリセルにおけるセル一時識別子とを用いて、前記基地局とキャリアアグリゲーションによる通信を行う通信部と、を有する無線通信システムが提供される。この無線通信システムにより、セカンダリセルに、プライマリセルとは異なるＣ−ＲＮＴＩを割当てることができる技術が提供される。
【０１２７】
また、以上、実施の形態によれば、キャリアアグリゲーションをサポートし、基地局とユーザ装置とを有する無線通信システムが行う通信方法であって、前記基地局が、プライマリセルにおけるセル一時識別子と、セカンダリセルにおけるセル一時識別子とをユーザ装置に送信するステップと、前記ユーザ装置が、前記基地局から、前記プライマリセルにおけるセル一時識別子と、前記セカンダリセルにおけるセル一時識別子とを取得するステップと、前記ユーザ装置が、前記プライマリセルにおけるセル一時識別子と、前記セカンダリセルにおけるセル一時識別子とを用いて、前記基地局とキャリアアグリゲーションによる通信を行うステップと、を有する通信方法が提供される。この通信方法により、セカンダリセルに、プライマリセルとは異なるＣ−ＲＮＴＩを割当てることができる技術が提供される。
【０１２８】
＜実施形態の補足＞
各信号はメッセージであってもよい。例えば、Ｃ−ＲＮＴＩ通知信号は、Ｃ−ＲＮＴＩ通知メッセージであってもよい。また、個別Ｃ−ＲＮＴＩ変更指示信号は、個別Ｃ−ＲＮＴＩ変更指示メッセージであってもよい。また、個別Ｃ−ＲＮＴＩ変更完了通知信号は、個別Ｃ−ＲＮＴＩ変更完了通知メッセージであってもよい。
【０１２９】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１３０】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１３１】
本発明は上記実施形態に限定されず、本発明の精神から逸脱することなく、様々な変形例、修正例、代替例、置換例等が本発明に包含される。
【０１３２】
なお、実施の形態において、既存Ｃ−ＲＮＴＩは、プライマリセルにおけるセル一時識別子の一例である。個別Ｃ−ＲＮＴＩは、セカンダリセルにおけるセル一時識別子の一例である。Ｃ−ＲＮＴＩ取得部２４は、取得部の一例である。信号送信部２１、信号受信部２２、ＣＡ制御部２３及びＣ−ＲＮＴＩ設定部２５は、通信部の一例である。信号送信部１１は、送信部の一例である。
【符号の説明】
【０１３３】
ｅＮＢ  基地局
ＵＥ  ユーザ装置
１１  信号送信部
１２  信号受信部
１３  ＣＡ制御部
１４  Ｃ−ＲＮＴＩ割当部
２１  信号送信部
２２  信号受信部
２３  ＣＡ制御部
２４  Ｃ−ＲＮＴＩ取得部
２５  Ｃ−ＲＮＴＩ設定部
【図１】
0006564635.tif 000002
【図２】
0006564635.tif 000003
【図３】
0006564635.tif 000004
【図４】
0006564635.tif 000005
【図５】
0006564635.tif 000006
【図６】
0006564635.tif 000007
【図７】
0006564635.tif 000008
【図８】
0006564635.tif 000009
【図９】
0006564635.tif 000010
【図１０】
0006564635.tif 000011
【図１１】
0006564635.tif 000012
【図１２】
0006564635.tif 000013
【図１３】
0006564635.tif 000014
【図１４】
0006564635.tif 000015
【図１５】
0006564635.tif 000016
【図１６】
0006564635.tif 000017